(57)【要約】　　　（修正有）【課題】ガスの供給を中断することなくＬＰガス容器の交換が行なえるとともに、液封状態の発生を的確に防止できる連結用高圧ホースを提供する。【解決手段】２本のＬＰガス容器Ｂ１，Ｂ２からの各ガス流路の末端部にそれぞれ逆止弁Ｖ１，Ｖ２を設け、各逆支弁の弁体をバネの力によって開放位置に保持し、ＬＰガス容器の交換時に高圧ホースを使用済みのＬＰガス容器から外したとき、予備のＬＰガス容器からのガス圧によって、使用済みのＬＰガス容器側の逆止弁の弁体を閉鎖位置に移動させる。【選択図】　　　図１
2004060684.tif 000002
【特許請求の範囲】
【請求項１】
２本のＬＰガス容器からの各ガス流路の末端部にそれぞれ逆支弁を設け、２本のＬＰガス容器Ｂ１，Ｂ２間の液移動を阻止しないように通常の使用状態では、各逆支弁の弁体をバネの力によって開放位置に保持する一方、ＬＰガス容器の交換時に高圧ホースを使用済みのＬＰガス容器から外したとき、予備のＬＰガス容器からのガス圧によって、使用済みのＬＰガス容器側の逆支弁の弁体を閉塞位置に移動させるようにした液封状態の発生防止機能付き連結用高圧ホース。
【発明の詳細な説明】
【０００１】
【発明が属する技術分野】本発明は、２本のＬＰガス容器の容器用弁と単段調整器の入口側との接続、あるいは２本のＬＰガス容器の容器用弁と集合用高圧ホースの入口側との接続に使用される連結用高圧ホースに関するものである。
【０００２】
【従来の技術】
従来の連結用高圧ホースでは、２本のホースあるいは１本のホースと１本のニップルで構成される二つガス流路を、互いに向い合わせて連結金具に接続し、各ガス流路の末端開口を開閉するチェック弁を連結金具に内蔵してある。
【０００３】
ガス事業者がＬＰガス容器を交換するに当たり、使用済みのＬＰガス容器を外すと、予備のＬＰガス容器からのガス圧に押されることによって、前記チェック弁の弁体が使用済みＬＰガス容器側のガス流路の末端開口に向ってに移動し、該末端開口を塞ぐようになっている。
このようにチェック弁が作動することによって、ガスの供給を中断することなくＬＰガス容器の交換が行なわれる。
【０００４】
しかしながら、前記チェック弁の弁体は、連結金具内に形成された弁体通路用空洞部に特別の拘束手段なしに収容されているだけであるため、連結金具が傾いて取付けられているときには、すなわち前記弁体通路用空洞部が正規の水平位置に置かれていないときには、弁体は自重によって低い方のガス流路の末端開口に向って移動してしまうことになる。
【０００５】
このようにしてガス流路の末端開口が塞がれると、ＬＰガス容器間の液移動が阻止されるため、液封状態を発生し易くなり、液封状態が発生してからＬＰガス容器が急激な温度上昇にさらされたときには、ＬＰガスの激甚的な体積膨張によってＬＰガス容器が破裂し、火災事故を招く危険がある。
【０００６】
【発明が解決しようとする課題】したがって本発明の課題は、ガス供給の中断なしにＬＰガス容器の交換が行なえるとともに、取付け姿勢の如何を問わず、液封状態の発生を的確に防止できるＬＰガス容器の連結用高圧ホースを提供することである。
【０００７】
【課題を解決するための手段】以下、添付図面中の参照符号を用いて説明すると、本発明の液封状態の発生防止機能付き連結用高圧ホースは、２本のＬＰガス容器Ｂ１，Ｂ２からの各ガス流路の末端部にそれぞれ逆支弁Ｖ１，Ｖ２を設け、２本のＬＰガス容器Ｂ１，Ｂ２間の液移動を阻止しないように通常の使用状態では、各逆支弁Ｖ１，Ｖ２の弁体をバネの力によって開放位置に保持する一方、ＬＰガス容器Ｂ１，Ｂ２の交換時に高圧ホースを使用済みのＬＰガス容器から外したとき、予備のＬＰガス容器からのガス圧によって、使用済みのＬＰガス容器側の逆支弁Ｖの弁体を閉塞位置に移動させるものである。
【０００８】
【発明の作用】通常の使用状態では、一方のＬＰガス容器Ｂ１のガス流路の末端部に設置された逆支弁Ｖ１と、他方のＬＰガス容器Ｂ２のガス流路の末端部に設置された逆支弁Ｖ２は、内蔵バネの付勢力によって、いずれも開かれている。そのため、２本のＬＰガス容器Ｂ１，Ｂ２間の液移動は逆支弁Ｖ１，Ｖ２を経由してなされる。
【０００９】
ＬＰガス事業者がＬＰガス容器Ｂを交換するに当たり、高圧ホースを使用済みのＬＰガス容器、例えばＬＰガス容器Ｂ１から取外すと、予備のＬＰガス容器Ｂ２からのガス供給が開始され、ＬＰガス容器Ｂ２のガス圧が逆支弁Ｖ２を通ってＬＰガス容器Ｂ１側の逆支弁Ｖ１の弁体に働く。
【００１０】
ＬＰガス容器Ｂ２からのガス圧が、逆支弁Ｖ１の内蔵バネの付勢力に打ち勝つため、逆支弁Ｖ１は即座に閉じられる。そのため、使用済みのＬＰガス容器Ｂ１は、必要十分に充填された新しいＬＰガス容器と交換される。この間、ＬＰガスの供給が中断されることはなく、圧力調整器Ｒを経由してガス使用機器ＭにＬＰガスが安定供給される。
【００１１】
【発明の実施の形態】図１と図２に示した実施例では、２本のＬＰガス容器Ｂ１，Ｂ２のガス流路は、いずれも継手金具付きホースＨ１，Ｈ２によって構成されている。各ホースＨ１，Ｈ２の継手金具Ｊ１，Ｊ２は、連結金具Ｃの一対の接続口Ｐａ，Ｐｂに捻じ込まれている。
各ガス流路の逆支弁Ｖ１，Ｖ２は各継手金具Ｊ１，Ｊ２の端部に内蔵されている。前記連結金具Ｃの第３の接続口Ｐｃには圧力調整器Ｒが接続されている。
【００１２】
図３に示した実施例では、一方のＬＰガス容器Ｂ１のガス流路は、継手金具付きホースＨ１によって構成されているが、他方のＬＰガス容器Ｂ２のガス流路は、ニップルＮによって構成されている。ホースＨ１の継手金具Ｊ１とニップルＮは、連結金具Ｃの一対の接続口Ｐａ，Ｐｂに捻じ込まれている。
各ガス流路の逆支弁Ｖ１，Ｖ２は前記継手金具Ｊ１とニップルＮの端部に組み込まれている。前記連結金具Ｃの第３の接続口Ｐｃには圧力調整器Ｒが接続されている。
【００１３】
図４に示したように逆止弁Ｖは、継手金具ＪまたはニップルＮに捻じ込まれる固定ガイドＶｇと、固定ガイドＶｇの軸方向の貫通孔Ｖｈに通されたピン状の弁体Ｖｂと、弁体Ｖｂの先端部に同軸に装着された弁ゴムＶｒと、弁体Ｖｂの基端部の環状突起部Ｖｐと固定ガイドＶｇとの間に挿入された圧縮コイルバネＶｓとからなる。
通常の使用状態では、弁体ＶｂはバネＶｓの力によって弁座Ｖｓから引き離されており、逆支弁Ｖ１、Ｖ２は開放されている。
【００１４】
【発明の効果】以上のように本発明の連結用高圧ホースでは、２本のＬＰガス容器からの各ガス流路の末端部にそれぞれ逆支弁を設け、通常の使用状態では各逆支弁の弁体をバネの付勢力によって開放位置に保持したので、２本のＬＰガス容器間で液移動を妨げられることがなく、液封状態の発生を的確に防止することができる。
【００１５】
また、ＬＰガス容器の交換時に高圧ホースを使用済みのＬＰガス容器から外したとき、予備のＬＰガス容器からのガス圧が前記バネの力に打ち勝って、使用済みのＬＰガス容器側の逆支弁の弁体を閉塞位置に移動させるので、ＬＰガス容器の交換は、ガスの供給を中断することなく安全に行なえる。
【図面の簡単な説明】
【図１】本発明の一実施例に係る連結用高圧ホースの縦断面図である。
【図２】図１の高圧ホースの使用例を示す説明図である。
【図３】本発明の別の実施例に係る連結用高圧ホースの縦断面図である。
【図４】逆支弁部分の拡大断面図である。
【符号の説明】
Ｂ　ＬＰガス容器
Ｃ　連結金具
Ｍ　ガス使用機器
Ｈ　ホース
Ｎ　ニップル
Ｊ　継手金具
Ｒ　圧力調整器
Ｖ　逆止弁
【図１】
2004060684.tif 000003
【図２】
2004060684.tif 000004
【図３】
2004060684.tif 000005
【図４】
2004060684.tif 000006
【手続補正書】
【提出日】平成14年7月29日(2002.7.29)
【手続補正１】
【補正対象書類名】明細書
【補正対象項目名】全文
【補正方法】変更
【補正の内容】
【発明の詳細な説明】
【特許請求の範囲】
【請求項１】２本のＬＰガス容器からの各ガス流路の末端部にそれぞれ逆止弁を設け、２本のＬＰガス容器間の液移動を阻止しないように通常の使用状態では、各逆止弁の弁体をバネの力によって開放位置に保持する一方、ＬＰガス容器の交換時に高圧ホースを使用済みのＬＰガス容器から外したとき、予備のＬＰガス容器からのガス圧によって、使用済みのＬＰガス容器側の逆止弁の弁体を閉塞位置に移動させるようにした液封状態の発生防止機能付き連結用高圧ホース。
【発明の詳細な説明】
【０００１】
【発明が属する技術分野】本発明は、２本のＬＰガス容器の容器用弁と単段調整器の入口側との接続、あるいは２本のＬＰガス容器の容器用弁と集合用高圧ホースの入口側との接続に使用される連結用高圧ホースに関するものである。
【０００２】
【従来の技術】
従来の連結用高圧ホースでは、２本のホースあるいは１本のホースと１本のニップルで構成される二つガス流路を、互いに向い合わせて連結金具に接続し、各ガス流路の末端開口を開閉するチェック弁を連結金具に内蔵してある。
【０００３】
ガス事業者がＬＰガス容器を交換するに当たり、使用済みのＬＰガス容器を外すと、予備のＬＰガス容器からのガス圧に押されることによって、前記チェック弁の弁体が使用済みＬＰガス容器側のガス流路の末端開口に向って移動し、該末端開口を塞ぐようになっている。
このようにチェック弁が作動することによって、ガスの供給を中断することなくＬＰガス容器の交換が行なわれる。
【０００４】
しかしながら、前記チェック弁の弁体は、連結金具内に形成された弁体通路用空洞部に特別の拘束手段なしに収容されているだけであるため、連結金具が傾いて取付けられているときには、すなわち前記弁体通路用空洞部が正規の水平位置に置かれていないときには、弁体は自重によって低い方のガス流路の末端開口に向って移動してしまうことになる。
【０００５】
このようにしてガス流路の末端開口が塞がれると、ＬＰガス容器間の液移動が阻止されるため、液封状態を発生し易くなり、液封状態が発生してからＬＰガス容器が急激な温度上昇にさらされたときには、ＬＰガスの激甚的な体積膨張によってＬＰガス容器が破裂し、火災事故を招く危険がある。
【０００６】
【発明が解決しようとする課題】したがって本発明の課題は、ガス供給の中断なしにＬＰガス容器の交換が行なえるとともに、取付け姿勢の如何を問わず、液封状態の発生を的確に防止できるＬＰガス容器の連結用高圧ホースを提供することである。
【０００７】
【課題を解決するための手段】以下、添付図面中の参照符号を用いて説明すると、本発明の液封状態の発生防止機能付き連結用高圧ホースは、２本のＬＰガス容器Ｂ１，Ｂ２からの各ガス流路の末端部にそれぞれ逆止弁Ｖ１，Ｖ２を設け、２本のＬＰガス容器Ｂ１，Ｂ２間の液移動を阻止しないように通常の使用状態では、各逆止弁Ｖ１，Ｖ２の弁体をバネの力によって開放位置に保持する一方、ＬＰガス容器Ｂ１，Ｂ２の交換時に高圧ホースを使用済みのＬＰガス容器から外したとき、予備のＬＰガス容器からのガス圧によって、使用済みのＬＰガス容器側の逆止弁Ｖの弁体を閉塞位置に移動させるものである。
【０００８】
【発明の作用】通常の使用状態では、一方のＬＰガス容器Ｂ１のガス流路の末端部に設置された逆止弁Ｖ１と、他方のＬＰガス容器Ｂ２のガス流路の末端部に設置された逆止弁Ｖ２は、内蔵バネの付勢力によって、いずれも開かれている。そのため、２本のＬＰガス容器Ｂ１，Ｂ２間の液移動は逆止弁Ｖ１，Ｖ２を経由してなされる。
【０００９】
ＬＰガス事業者がＬＰガス容器Ｂを交換するに当たり、高圧ホースを使用済みのＬＰガス容器、例えばＬＰガス容器Ｂ１から取外すと、予備のＬＰガス容器Ｂ２からのガス供給が開始され、ＬＰガス容器Ｂ２のガス圧が逆止弁Ｖ２を通ってＬＰガス容器Ｂ１側の逆止弁Ｖ１の弁体に働く。
【００１０】
ＬＰガス容器Ｂ２からのガス圧が、逆止弁Ｖ１の内蔵バネの付勢力に打ち勝つため、逆止弁Ｖ１は即座に閉じられる。そのため、使用済みのＬＰガス容器Ｂ１は、必要十分に充填された新しいＬＰガス容器と交換される。この間、ＬＰガスの供給が中断されることはなく、圧力調整器Ｒを経由してガス使用機器ＭにＬＰガスが安定供給される。
【００１１】
【発明の実施の形態】図１と図２に示した実施例では、２本のＬＰガス容器Ｂ１，Ｂ２のガス流路は、いずれも継手金具付きホースＨ１，Ｈ２によって構成されている。各ホースＨ１，Ｈ２の継手金具Ｊ１，Ｊ２は、連結金具Ｃの一対の接続口Ｐａ，Ｐｂに捻じ込まれている。
各ガス流路の逆止弁Ｖ１，Ｖ２は各継手金具Ｊ１，Ｊ２の端部に内蔵されている。前記連結金具Ｃの第３の接続口Ｐｃには圧力調整器Ｒが接続されている。
【００１２】
図３に示した実施例では、一方のＬＰガス容器Ｂ１のガス流路は、継手金具付きホースＨ１によって構成されているが、他方のＬＰガス容器Ｂ２のガス流路は、ニップルＮによって構成されている。ホースＨ１の継手金具Ｊ１とニップルＮは、連結金具Ｃの一対の接続口Ｐａ，Ｐｂに捻じ込まれている。
各ガス流路の逆止弁Ｖ１，Ｖ２は前記継手金具Ｊ１とニップルＮの端部に組み込まれている。前記連結金具Ｃの第３の接続口Ｐｃには圧力調整器Ｒが接続されている。
【００１３】
図４に示したように逆止弁Ｖは、継手金具ＪまたはニップルＮに捻じ込まれる固定ガイドＶｇと、固定ガイドＶｇの軸方向の貫通孔Ｖｈに通されたピン状の弁体Ｖｂと、弁体Ｖｂの先端部に同軸に装着された弁ゴムＶｒと、弁体Ｖｂの基端部の環状突起部Ｖｐと固定ガイドＶｇとの間に挿入された圧縮コイルバネＶｓとからなる。
通常の使用状態では、弁体ＶｂはバネＶｓの力によって弁座Ｖｓから引き離されており、逆止弁Ｖ１、Ｖ２は開放されている。
【００１４】
【発明の効果】以上のように本発明の連結用高圧ホースでは、２本のＬＰガス容器からの各ガス流路の末端部にそれぞれ逆止弁を設け、通常の使用状態では各逆止弁の弁体をバネの付勢力によって開放位置に保持したので、２本のＬＰガス容器間で液移動を妨げられることがなく、液封状態の発生を的確に防止することができる。
【００１５】
また、ＬＰガス容器の交換時に高圧ホースを使用済みのＬＰガス容器から外したとき、予備のＬＰガス容器からのガス圧が前記バネの力に打ち勝って、使用済みのＬＰガス容器側の逆止弁の弁体を閉塞位置に移動させるので、ＬＰガス容器の交換は、ガスの供給を中断することなく安全に行なえる。
【図面の簡単な説明】
【図１】本発明の一実施例に係る連結用高圧ホースの縦断面図である。
【図２】図１の高圧ホースの使用例を示す説明図である。
【図３】本発明の別の実施例に係る連結用高圧ホースの縦断面図である。
【図４】逆止弁部分の拡大断面図である。
【符号の説明】
Ｂ　ＬＰガス容器
Ｃ　連結金具
Ｍ　ガス使用機器
Ｈ　ホース
Ｎ　ニップル
Ｊ　継手金具
Ｒ　圧力調整器
Ｖ　逆止弁